(57)【要約】【課題】扉のハンドル部分の吸熱量を減らし、消費電力量を低減させ、無駄な動きをすることなく、ハンドルに手を挿入しやすくし、使い勝手を良くすることを確保した冷蔵庫を提供する。【解決手段】野菜室扉１１は外板扉２４を上部になるにしたがってなだらかな曲線で凸形状になった横扉枠２５により挟み込み、外板扉２４の両サイド部の形状を形成する。また、外板扉２９の中央部にコの字状に切り欠きをいれ、外板扉２９の中央部にコの字状に切り欠きをいれ、その切り込み部に、上部になるにしたがってなだらかな曲線で凸形状になったベースハンドル２６と同様な形状をしたシールハンドル２７により外板扉２４を挟み込んで中央部の形状を形成することによって、断熱部分が多くなり、吸熱量が削減され消費電力量が削減することができる。また、操作の動きに無駄を生じずに扉を開くことができる。また、デザイン性に優れた冷蔵庫を提供できる。【選択図】図２
2005055056.tif 000002
【特許請求の範囲】
【請求項１】
上下に複数の貯蔵室を有し、前記貯蔵室の前面に断熱扉を有する冷蔵庫において、上部扉の下辺部と対向する下部扉の上辺部の断熱壁厚を相対的に厚くしたことを特徴とする冷蔵庫。
【請求項２】
扉の下辺部と対向する他の扉の上辺部の断熱壁厚を相対的に上下方向で曲面形状として厚くしたことを特徴とする請求項１に記載の冷蔵庫。
【請求項３】
上部扉の下辺部と対向する下部扉の上辺部を最前方部に位置させ、前記下辺部と上辺部を前後方向で一致させ、上下対称としたことを特徴とする請求項１または２に記載の冷蔵庫。
【請求項４】
上部扉の下辺部の曲面形状部に操作部を設けたことを特徴とする請求項２または３に記載の冷蔵庫。
【請求項５】
下部扉の上辺部の曲面形状部にハンドルを設けたことを特徴とする請求項２から請求項４のいずれか一項に記載の冷蔵庫。
【請求項６】
上部扉を冷蔵庫の最上部に配置したヒンジ式の冷蔵室扉とし下部扉を引出式の野菜室扉としたことを特徴とする請求項１から請求項５のいずれか一項に記載の冷蔵庫。
【請求項７】
下部扉の上辺部の曲面形状部に設けるハンドル装置を、テコの原理を用いた可動式とし、開扉力を低減することを特徴とする請求項５に記載の冷蔵庫。
【発明の詳細な説明】
【技術分野】
【０００１】
本発明は、冷蔵庫の扉に関するものである。
【背景技術】
【０００２】
従来、この種の冷蔵庫は省エネルギー化を狙いに吸熱量を減らし、消費電力量を削減するために、断熱材の壁厚を厚くしている。また、使い勝手を向上するために引き出しのハンドルの位置に重点をおいている。（例えば、特許文献１参照）
図３は特許文献１に記載された従来の冷蔵庫を示すものである。図３に示すように，
冷蔵庫本体１は、外箱２と内箱３とで構成される箱体空間と、上部扉４、下部扉５、下段扉６、最下段扉７とから構成されている。
【０００３】
本構成により、内外箱２，３により形成された空間を上、下、下段、最下段扉４，５，６，７により冷気を密封している。下部扉５には収納ケース８が設けられ、下部扉５のハンドル９の高さを使用しやすい位置に配置することで容易に食品が収納できる。
【特許文献１】特開２０００−１８６８８５号公報
【発明の開示】
【発明が解決しようとする課題】
【０００４】
しかしながら、上記従来の構成ではハンドルの形状が扉表面より奥側に凹んだ形状になっている為、断熱材の壁厚が薄くなり吸熱量を多くさせ、消費電力量が大きくなるという課題を有していた。また、ハンドルをつかむ時に手を一度奥方向に押し込んだ後に上方に上げる２段階の動きが必要であり、動作が大きくなる課題も有していた。
【０００５】
本発明は、上記従来の課題を解決するもので、扉のハンドル部分の吸熱量を減らし、消費電力量を低減させ、無駄な動きをすることなく、ハンドルに手を挿入しやすくし、使い勝手を良くすることを確保した冷蔵庫を提供するものである。
【課題を解決するための手段】
【０００６】
上記従来の課題を解決するために、本発明の冷蔵庫は貯蔵室の前面に断熱扉を有する冷蔵庫において、上部扉の下辺部と対向する下部扉の上辺部の断熱壁厚を相対的に厚くしたものである。
【０００７】
これによって、扉の断熱部分が多くなり、吸熱量が削減される。
【０００８】
また、本発明の冷蔵庫は相対的に上下方向で曲面形状として厚くしたものである。
【０００９】
これによって、デザイン性に優れた使い勝手のよい冷蔵庫を提供することができる。
【発明の効果】
【００１０】
本発明の冷蔵庫は吸熱量を減らし、消費電力量を低減させることができる。
【００１１】
また、下部扉の上辺部の曲面形状部にハンドルを設けることで、無駄な動きをすることなく、ハンドルに手を挿入しやすくし、使い勝手を良くすることができる。
【発明を実施するための最良の形態】
【００１２】
請求項１に記載の発明は、上下に複数の貯蔵室を有し、前記貯蔵室の前面に断熱扉を有する冷蔵庫において、上部扉の下辺部と対向する下部扉の上辺部の断熱壁厚を相対的に厚くしたものであり、吸熱量が削減され消費電力量が削減することができる。
【００１３】
請求項２に記載の発明は、請求項１に記載の発明において、扉の下辺部と対向する他の扉の上辺部の断熱壁厚を相対的に上下方向で曲面形状として厚くしたものであり、デザイン性に優れた冷蔵庫を提供することができる。
【００１４】
請求項３に記載の発明は、請求項１または２に記載の発明において、上部扉の下辺部と対向する下部扉の上辺部を最前方部に位置させ、前記下辺部と上辺部を前後方向で一致させ、上下対称としたものであり、さらにデザイン性に優れた冷蔵庫を提供することができる。
【００１５】
請求項４に記載の発明は、請求項2または3に記載の発明において、上部扉の下辺部の曲面形状部に操作部を設けたものであり、操作性に優れ、表示部を見やすくすることができる。
【００１６】
請求項５に記載の発明は、請求項２から請求項４のいずれか一項に記載の発明において、下部扉の上辺部の曲面形状部にハンドルを設けたものであり、無駄な動きをせずにハンドル部に手をスムーズに挿入することができる。
【００１７】
請求項６に記載の発明は、請求項１から請求項５のいずれか一項に記載の発明において、上部扉を冷蔵庫の最上部に配置したヒンジ式の冷蔵室扉とし下部扉を引出式の野菜室扉としたものであり、ハンドル部をしっかり握ることができ、比較的重量の重い野菜室の扉を引き出しやすくすることができる。
【００１８】
請求項７に記載の発明は、請求項５に記載の発明において、下部扉の上辺部の曲面形状部に設けるハンドル装置を、テコの原理を用いた可動式とし、開扉力を低減するものであり、さらに使い勝手の向上が図れる。
【００１９】
以下、本発明の実施の形態について、図面を参照しながら説明する。なお、この実施の形態によってこの発明が限定されるものではない。
【００２０】
（実施の形態１）
図１は本発明の実施の形態１における冷蔵庫の断面図、図２は冷蔵室扉と野菜室扉の断面図を示すものである。
【００２１】
図において、冷蔵庫本体１は上から冷蔵室１０、野菜室１１、製氷室１２、切替室１２ａ、冷凍室１３により構成されている。それぞれの庫内は外箱２と内箱３とで構成される箱体空間を冷蔵室扉１４、野菜室扉１５、製氷室扉１６、切替室扉１６ａ、冷凍室扉１７により密閉されることで食品を冷やす部屋を形成している。
【００２２】
ここで、冷蔵室扉１４は外板扉１８を横扉枠１９によって挟み込み、さらに射出成形で形成された下部がなだらかに飛び出した形状のベースハンドル２０を外板扉１８の下部に配設する。また、庫内の温度調節機能などを備えた操作部２１をベースハンドル２０の斜めになった面に設置する。前記によってできた冷蔵室扉１０の裏側に扉内箱２２によりシールし、その間の空間に発泡断熱材２３を充填している。
【００２３】
また野菜室扉１５は外板扉２４を上部になるにしたがってなだらかな曲線で凸形状になった横扉枠２５により挟み込み、外板扉２４の両サイド部の形状を形成する。また、外板扉２９の中央部にコの字状に切り欠きをいれ、その切り込み部に、上部になるにしたがってなだらかな曲線で凸形状になったベースハンドル２６と同様な形状をしたシールハンドル２７により外板扉２４を挟み込んで中央部の形状を形成する。前記によってできた野菜室扉１１の裏側に扉内箱２８によりシールし、その間の空間に発泡断熱材２９を充填している。可動式のハンドル３０をベースハンドル２６に設置し、開扉時にハンドル３０を引くと外箱２を押す構造になっている。
【００２４】
上記のように本実施の形態においては、冷蔵室扉の下辺部と対向する野菜室扉の上辺部の断熱壁厚を相対的に厚くすることにより、断熱部分が多くなり、吸熱量が削減され消費電力量が削減することができる。特に、冷蔵室扉の下辺部や対向する野菜室扉の上辺部にハンドルや操作板を配置するためには部分的に凹み部が必要となるが、断熱壁厚を相対的に厚くすることにより局部的な断熱壁厚の減少を防止でき、発汗等の発生を防止することができる。
【００２５】
また、本実施の形態では冷蔵室扉と野菜室扉を曲面形状に厚くすることにより、デザイン性に優れた冷蔵庫を作成できる。
【００２６】
また、冷蔵室扉と野菜室扉の屈曲部を最も前方に同じ寸法を飛び出させ，上下対称とすることにより、さらにデザイン性を向上させることができる。
【００２７】
また、冷蔵室扉の下辺部に操作部を設けることで操作性に優れ、表示部を見やすくすることができる。
【００２８】
また、野菜室扉の上部にある屈曲部にハンドルを設けたことにより、無駄な動きをせずにハンドル部に手をスムーズに挿入することができる。
【００２９】
また、引出式の野菜室扉とすることにより、ハンドルをしっかり握ることができ比較的重量の重い野菜室の扉を、引き出しやすくすることができる。
【００３０】
また、野菜室扉の屈曲部に可動式のハンドルを設けたことで開扉力を低減することができる。
【産業上の利用可能性】
【００３１】
以上のように、本発明にかかる冷蔵庫は、意匠性がよく操作性，視認性に優れた温度調節等の操作部、あるいは、ハンドル構成を有する扉とすることができ、扉に人の手による操作部やハンドルを備えた冷蔵庫等の技術分野において有用である。
【図面の簡単な説明】
【００３２】
【図１】本発明の実施の形態１による冷蔵庫の正面図
【図２】同実施の形態の冷蔵室扉と野菜室扉の側面断面図
【図３】従来の冷蔵庫の側面断面図
【符号の説明】
【００３３】
１    冷蔵庫
１４    冷蔵室扉
１５    野菜室扉
２１    操作部
３０    ハンドル
【図１】
2005055056.tif 000003
【図２】
2005055056.tif 000004
【図３】
2005055056.tif 000005